(57)【特許請求の範囲】
【請求項１】
スクリーンを巻き取る巻取用パイプに巻き上げ力を付与するスクリーン巻き上げ機において、上記巻取用パイプ内においてこれと一体化した円筒部材と、この円筒部材の一端に装着された遊星歯車機構と、この遊星歯車機構により減速回転するスパイラルロッドと、このスパイラルロッドと螺合する角筒軸を有する移動体と、この移動体の角筒軸が挿入され且つこの移動体の回転を阻止するように上記円筒部材の他端を閉塞するキャップの中心で支持された角筒部材と、この角筒部材及び角筒軸を囲み上記遊星歯車機構の回転により上記スパイラルロッドを介して移動する上記移動体により圧縮されるコイルスプリングと、このコイルスプリング及び上記移動体を収納すると共に一端が上記遊星歯車機構に固定され他端が上記キャップの内面に固定された縮径円筒部材とを有し、且つ、上記キャップは、上記角筒部材が貫通する貫通孔を有する第１キャップ部と、この第１キャップ部の外周面に回転自在に装着され且つ上記縮径円筒部材の他端が固定された第２キャップ部とを有し、更に、上記円筒部材の他端は上記縮径円筒部材の他端を囲むように上記第２キャップ部に固定されており、また、上記角筒部材の上記円筒部材及び縮径円筒部材の他端からの突出端を固定したことを特徴とするスクリーン巻き上げ機。
【請求項２】
スクリーンと、このスクリーンを巻き取るように左右一対の取付部材により回転自在に軸支された巻取用パイプと、この巻取用パイプ内に装着されたスクリーン巻き上げ機とを備えたロールスクリーンであって、上記スクリーン巻き上げ機は、上記巻取用パイプ内においてこれと一体化した円筒部材と、この円筒部材の一端に装着された遊星歯車機構と、この遊星歯車機構により減速回転するスパイラルロッドと、このスパイラルロッドと螺合する角筒軸を有する移動体と、この移動体の角筒軸が挿入され且つこの移動体の回転を阻止するように上記円筒部材の他端を閉塞するキャップの中心で支持された角筒部材と、この角筒部材及び角筒軸を囲み上記遊星歯車機構の回転により上記スパイラルロッドを介して移動する上記移動体により圧縮されるコイルスプリングと、このコイルスプリング及び上記移動体を収納すると共に一端が上記遊星歯車機構に固定され他端が上記キャップの内面に固定された縮径円筒部材とを有し、且つ、上記キャップは、上記角筒部材が貫通する貫通孔を有する第１キャップ部と、この第１キャップ部の外周面に回転自在に装着され且つ上記縮径円筒部材の他端が固定された第２キャップ部とを有し、更に、上記円筒部材の他端は上記縮径円筒部材の他端を囲むように上記第２キャップ部に固定されており、また、上記角筒部材の上記円筒部材及び縮径円筒部材の他端からの突出端を上記取付部材に固定したことを特徴とするロールスクリーン。
【発明の詳細な説明】
【０００１】
【産業上の利用分野】
本発明は、スクリーン巻き上げ機及びロールスクリーンに関し、更に詳しくは汎用性に優れていると共に組み立て容易なスクリーン巻き上げ機及びロールスクリーンに関する。
【０００２】
【従来の技術】
ロールスクリーンは日除け用のブラインドとして、あるいは室内装飾用として広く用いられている。そして、従来からロールスクリーンに用いられる卷取軸については多数開発されている。例えば、実開平４−６２７９５号公報にはスクリーン用卷取軸が提案されている。この公報に記載されたスクリーン卷取軸は、コイルバネに熱収縮チューブを被着することにより、スクリーンの開閉時におけるコイルバネの振動や螺旋状のうねり等を防止すると共に、コイルバネを内筒の内面に衝撃的に当接し、もって騒音や傷などの発生を防止するようにしたものである。
【０００３】
この種のスクリーン卷取軸は、従来の他の卷取軸と同様にコイルバネに所定のトルクを付与して組み立てられた、いわゆるトルクスプリング方式のもので、スクリーンを引き下げた時には卷取軸の回転により更にトルクが付与され、コイルバネに蓄勢されたトルクによりスクリーンを卷取軸に巻き上げるようにしてものである。つまり、従来のロールスクリーンに用いられた巻き上げ機はこの種のトルクスプリング方式のものが一般的であり、このトルクスプリング方式を基本として、種々の技術、例えば異音対策あるいは耐衝撃対策に関する技術が提案されている。
【０００４】
【発明が解決しようとする課題】
しかしながら、従来のトルクスプリング方式のロールスクリーンの場合には、スクリーンの重量に合わせたトルクを予めコイルスプリングに付与して組み立てるため、スクリーンによってトルクの大きさを変更しなくてはならない、つまり、スクリーンとコイルスプリングとは一対一の対応関係にあり、スクリーンの種類に応じたコイルスプリング等の部品を準備しなくてはならず、スクリーン巻き上げ機に汎用性がないという課題があった。
【０００５】
従って、ロールスクリーンの使用者はスクリーンを取り替えようとしても、コイルスクリーンの初期トルクに合わせて使用中のスクリーンと同一重量のスクリーンを選択しなくてはならず、絵柄の違ったスクリーンを自由に選択できないという課題があった。更に、組み立て時に初期トルクを付与するために、組み立て時にトルクを調整しながらスプリングを仮巻き込みをしなくてはならず、その調整作業等が面倒で作業負担が大きく、しかも仮巻き込み時にスプリングが捻れ、収納パイプを装着する時にコイルスプリングとパイプが摺接し、コイルスプリングを収納パイプ内に装着し難く、組付後にはコイルスプリングの摺接が不快音の原因になるという課題があった。
【０００６】
本発明は、上記課題を解決するためになされたもので、コイルスプリングにトルクを付与する必要がなく単に圧縮力を付与するだけで簡単に組み立てることができ、しかも種々のスクリーンに容易に対応でき、部品点数を軽減でき汎用性に優れたスクリーン巻き上げ機及びロールスクリーンを提供することを目的としている。
【０００７】
【課題を解決するための手段】
本発明の請求項１に記載のスクリーン巻き上げ機は、スクリーンを巻き取る巻取用パイプに巻き上げ力を付与するスクリーン巻き上げ機において、上記巻取用パイプ内においてこれと一体化した円筒部材と、この円筒部材の一端に装着された遊星歯車機構と、この遊星歯車機構により減速回転するスパイラルロッドと、このスパイラルロッドと螺合する角筒軸を有する移動体と、この移動体の角筒軸が挿入され且つこの移動体の回転を阻止するように上記円筒部材の他端を閉塞するキャップの中心で支持された角筒部材と、この角筒部材及び角筒軸を囲み上記遊星歯車機構の回転により上記スパイラルロッドを介して移動する上記移動体により圧縮されるコイルスプリングと、このコイルスプリング及び上記移動体を収納すると共に一端が上記遊星歯車機構に固定され他端が上記キャップの内面に固定された縮径円筒部材とを有し、且つ、上記キャップは、上記角筒部材が貫通する貫通孔を有する第１キャップ部と、この第１キャップ部の外周面に回転自在に装着され且つ上記縮径円筒部材の他端が固定された第２キャップ部とを有し、更に、上記円筒部材の他端は上記縮径円筒部材の他端を囲むように上記第２キャップ部に固定されており、また、上記角筒部材の上記円筒部材及び縮径円筒部材の他端からの突出端を固定したことを特徴とするものである。
【０００８】
また、本発明の請求項２に記載のロールスクリーンは、スクリーンと、スクリーンを卷き取るように左右一対の取付部材により回転自在に軸支された卷取用パイプと、この卷取用パイプ内に装着されたスクリーン巻き上げ機とを備えたロールスクリーンであって、上記スクリーン巻き上げ機は、上記卷取用パイプ内においてこれと一体化した円筒状部材と、この円筒部材の一端に装着された遊星歯車機構と、この遊星歯車機構により減速回転するスパイラルロッドと、このスパイラルロッドと螺合する角筒軸を有する移動体と、この移動体の角筒軸が挿入され且つこの移動体の回転を阻止するように上記円筒状部材の他端で支持された角筒部材と、この角筒部材及び角筒軸を囲み上記遊星歯車機構の回転により上記スパイラルロッドを介して移動する上記移動体により圧縮されるコイルスプリングと、このコイルスプリング及び上記移動体を収納すると共に一端が上記遊星歯車機構に固定され他端が上記角筒部材を回転自在に支持する縮径円筒部材とを有し、上記角筒部材の上記円筒部材及び縮径円筒部材の他端からの突出端を上記取付部材に固定したことを特徴とする。
【０００９】
【作用】
本発明の請求項１に記載及び請求項２の発明によれば、スクリーンを卷取パイプから引き下げると、スクリーン巻き上げ機の遊星歯車機構が卷取パイプと一体的に回転し、遊星歯車機構を介してスパイラルロッドが減速回転する。この時、スパイラルロッドに螺合した移動体は角筒軸を介して固定された角筒部材に回転が阻止されているため、スパイラルロッドの回転に連れてコイルスプリング側へ直進してコイルスプリングに圧縮力を付与する。そして、スクリーンが最も引き下げられた状態でコイルスプリングの圧縮力が最も大きくなる。次いで、スクリーンを卷取パイプに巻き上げる場合にはスクリーンを少し引き下げると、コイルスプリングの圧縮力により移動体を元の位置へ押し戻し、これに伴ってスパイラルロッドを介して遊星歯車機構が回転し、もって卷取用パイプが逆方向へ回転してスクリーンを卷き上げる。
【００１０】
また、本発明の請求項２に記載のロールスクリーンは、スクリーンと、このスクリーンを巻き取るように左右一対の取付部材により回転自在に軸支された巻取用パイプと、この巻取用パイプ内に装着されたスクリーン巻き上げ機とを備えたロールスクリーンであって、上記スクリーン巻き上げ機は、上記巻取用パイプ内においてこれと一体化した円筒部材と、この円筒部材の一端に装着された遊星歯車機構と、この遊星歯車機構により減速回転するスパイラルロッドと、このスパイラルロッドと螺合する角筒軸を有する移動体と、この移動体の角筒軸が挿入され且つこの移動体の回転を阻止するように上記円筒部材の他端を閉塞するキャップの中心で支持された角筒部材と、この角筒部材及び角筒軸を囲み上記遊星歯車機構の回転により上記スパイラルロッドを介して移動する上記移動体により圧縮されるコイルスプリングと、このコイルスプリング及び上記移動体を収納すると共に一端が上記遊星歯車機構に固定され他端が上記キャップの内面に固定された縮径円筒部材とを有し、且つ、上記キャップは、上記角筒部材が貫通する貫通孔を有する第１キャップ部と、この第１キャップ部の外周面に回転自在に装着され且つ上記縮径円筒部材の他端が固定された第２キャップ部とを有し、更に、上記円筒部材の他端は上記縮径円筒部材の他端を囲むように上記第２キャップ部に固定されており、また、上記角筒部材の上記円筒部材及び縮径円筒部材の他端からの突出端を上記取付部材に固定したことを特徴とするものである。
【００１１】
本実施例のロールスクリーン１０は、例えば図１、図２に示すように、スクリーン１１と、スクリーン１１を卷き取るように左右一対の取付部材１２、１３により回転自在に軸支された卷取用パイプ１４と、この卷取用パイプ１４内に装着されたスクリーン巻き上げ機１５とを備えて構成されている。
【００１２】
上記スクリーン１１は、布地やプラスチックシートなどによって形成され、同一面積のものでも材質によってその重量は様々である。また、スクリーン１１には無地のものもあれば、装飾性を高めるために種々の絵柄が描画されたものもある。また、上記巻取用パイプ１４の右端は例えばプラスチック製のキャップ１６によって閉塞されている。このキャップ１６には軸部材１６Ａが取り付けられ、キャップ１６は軸部材１６Ａに対して回転自在になっている。また、巻取用パイプ１４の左端は後述する例えばプラスチック製のキャップ１７によって閉塞されている。
【００１３】
また、上記スクリーン巻き上げ機１５は、全体として円筒状に形成され、巻取用パイプ１４の左端側の内部に装着され、巻取用パイプ１４に対してビス止めなどの手段により一体化している。このスクリーン巻き上げ機１５は、図１及び図２に示すように、上記巻取用パイプ１４の内周面に接触し、これと一体化した円筒部材１５１と、この円筒部材１５１の一端（本実施例では右端）に装着された遊星歯車機構１５２と、この遊星歯車機構１５２により減速回転するスパイラルロッド１５３と、このスパイラルロッド１５３と螺合する角筒軸１５４Ａを有する移動体１５４と、この移動体１５４の角筒軸１５４Ａが挿入され且つこの移動体１５４の回転を阻止するように円筒部材１５１の他端（本実施例では左端）を閉塞するキャップ１７の中心で支持された角筒部材１５５と、この角筒部材１５５及び角筒軸１５４Ａを囲み遊星歯車機構１５２の回転によりスパイラルロッド１５３を介して左方へ直線移動する移動体１５４により圧縮されるコイルスプリング１５６と、このコイルスプリング１５６及び移動体１５４を収納すると共に右端が遊星歯車機構１５２に固定され左端がキャップ１７の内面に固定された縮径円筒部材１５７とを有している。
【００１４】
そして、コイルスプリング１５６の初期圧縮力は遊星歯車機構１５２の取り付け位置によって適宜調整できるようにしてある。例えば、円筒部材１５１の右端部に調整用孔を軸方向に複数設け、遊星歯車機構１５２の取付位置を軸方向でずらせることによりコイルスプリング１５６の初期圧縮力を簡単に調整することができる。
【００１５】
そして、上記角筒部材１５５は円筒部材１５１、縮径円筒部材１５７及び卷取用パイプ１４の左端から突出しており、その突出端が卷取用パイプ１４の取付部材１３に固定されている。この角筒部材１５５が卷取用パイプ１４の支持軸を兼ねている。
【００１６】
そこで、角筒部材１５５と取付部材１３と巻取用パイプ１４のキャップ１７との関係を図２の（ｂ）を参照しながら説明する。上記キャップ１７は、例えば同図に示すように、角筒部材１５５が貫通する角孔を有する第１キャップ部１７１と、この第１キャップ部１７１の外周面に回転自在に装着された第２キャップ部１７２とを有している。また、第２キャップ部１７２の内面には円筒部材１５１の内径に一致する径を有する大径段部１７２Ａと、縮径円筒部材１５７の内径に一致する径を有する小径段部１７２Ｂが形成され、大径段部１７２Ａが互いに重なった巻取用パイプ１４、円筒部材１５１の左端に填め込まれ、小径段部１７２Ｂが縮径円筒部材１５７の左端に填め込まれている。従って、巻取用パイプ１４は、左端が角筒部材１５５に装着された第１キャップ部１７１に対して第２キャップ部１７２を介して回転自在に支持され、右端が軸部材１６Ａを介して取付部材１２に回転自在に支持されている。
【００１７】
次に、本実施例のスクリーン巻き上げ機１５の円筒部材１５１内にコイルスプリング１５６を装着する場合について説明する。それには、図２で示すように、角筒部材１５５が一体化したキャップ１７を縮径円筒部材１５７に填め込み、この縮径円筒部材１５７内にコイルスプリング１５６を挿入する。次いで、遊星歯車機構１５２、スパイラルロッド１５３及び移動体１５４が一体化した円筒部材１５１内に縮径円筒部材１５７を装着し、円柱状のスクリーン巻き上げ機が完成する。この時、移動体１５４の角筒軸１５４Ａを角筒部材１５５内に挿入するようにする。これにより縮径円筒部材１５７内にコイルスプリング１５６は多少圧縮された状態になっている。
【００１８】
次いで、本実施例のスクリーン巻き上げ機１５を用いたロールスクリーン１０の動作について説明する。取付部材１２、１３を介して例えば窓に取り付けられたロールスクリーン１０のスクリーン１１を引き下げる場合には、スクリーン１１を卷取パイプ１４から引き下げると、遊星歯車機構１５２が卷取パイプ１４と一体的に回転し、遊星歯車機構１５２を介してスパイラルロッド１５３が減速回転する。
【００１９】
この時、スパイラルロッド１５３に螺合した移動体１５４は角筒軸１５４Ａを介して角筒部材１５５に回転が阻止されているため、スパイラルロッド１５３の回転運動を移動体１５４により直進運動に変換し、スパイラルロッド１５３の回転に連れてコイルスプリング１５６側へ進出してコイルスプリング１５６に圧縮力を付与し、スクリーン１１の巻き上げ力を蓄勢する。そして、スクリーン１１が最も引き下げられた状態でコイルスプリング１５６の圧縮力、つまりスクリーン１１の巻き上げ力が最も大きくなる。次いで、スクリーン１１を卷取パイプ１４に巻き上げる場合にはスクリーン１１を少し引き下げると、図示しない従来周知のラッチ機構が外れて卷取用パイプ１４の回転が自由になる。すると、コイルスプリング１５６の圧縮力により移動体１５４を元の位置へ徐々に戻り、これに伴ってスパイラルロッド１５３を介して遊星歯車機構１５２が当初とは逆向きに回転し、もって卷取用パイプ１４が逆方向へ回転してスクリーン１１を元通りに卷き上げる。
【００２０】
以上説明したように本実施例によれば、スクリーン巻き上げ機１５に用いられるコイルスプリング１５６に巻き上げ力を蓄勢する方法として、遊星歯車機構１５２、スパイラルロッド１５３及び移動体１５４によってコイルスプリング１５６に圧縮力を付与する方法を採用したため、スクリーン巻き上げ機１５を組み立てる場合にはコイルスプリング１５６にトルクを付与する必要がなく単に圧縮力を付与するだけで簡単に組み立てることができる。また、コイルスプリング１５６の圧縮力は遊星歯車機構１５２の円筒部材１５１への取付位置によって適宜調整することができるため、一種類のコイルスプリング１５６で複数種のスクリーン１１に対応することができる。従って、従来のようにスクリーン１１とコイルスプリング１５６を一対一の関係で準備する必要がなく、従来と比較してスクリーン巻き上げ機１５の部品点数を軽減することができる。。
【００２１】
尚、本発明は上記実施例に何等制限されるものではなく、必要に応じて各構成要素を適宜変更できることはいうまでもない。
【００２２】
【発明の効果】
本発明の請求項１及び請求項２に記載の発明によれば、コイルスプリングにトルクを付与する必要がなく単に圧縮力を付与するだけで簡単に組み立てることができ、しかも種々のスクリーンに容易に対応でき、部品点数を軽減でき汎用性に優れたスクリーン巻き上げ機及びロールスクリーンを提供することができる。
【図面の簡単な説明】
【図１】本発明のスクリーン巻き上げ機の一実施例を適用した本発明のロールスクリーンの一実施例の左半分を破断して示す部分断面図である。
【図２】図２は図１に示すスクリーン巻き上げ機を示す図で、同図の（ａ）はスクリーン巻き上げ機を分解して示す要部断面図、同図の（ｂ）はスクリーン巻き上げ機の外端部を示す部分断面図である。
【符号の説明】
１０          ロールスクリーン
１１          スクリーン
１２、１３    取付部材
１４          卷取用パイプ
１５          スクリーン巻き上げ機
１５１        円筒部材
１５２        遊星歯車機構
１５３        スパイラルロッド
１５４        移動体
１５４Ａ      角筒軸
１５６        コイルスプリング
１５７        縮径円筒部材
【図１】
0003555044.tif 000002
【図２】
0003555044.tif 000003